(57)【要約】【課題】  ＰＣ基礎梁部材を用いた布基礎やべた基礎において、作業性とともに美観性を向上させるとともに垂直荷重による耐力を向上させる。【解決手段】  ＰＣ基礎梁部材１の両端に縦方向に軸ボルト14を埋め込み、隣接するＰＣ基礎梁部材１の上面ならびに下面から突出している軸ボルト14の上下端に、隣接するこれら上面ならびに下面にまたがって、上部接続金物４および下部接続金物５をあてがい、それぞれナットで締めつけて接続するとともに、両端面中央に設けた窪み部20に係合材９を挿入してくさびとする。【選択図】        図７
2006057351.tif 000002
【特許請求の範囲】
【請求項１】
長方形の長辺を底部とし、短辺を高さとし、この短辺に等しいかそれ以下の厚みを有する直方体状のＰＣ基礎梁部材（１）であって、両端付近の外表面から少なくとも所定のかぶり厚だけ隔てた位置に縦方向に軸ボルト（14）を埋め込み、上下方向複数段の水平配筋（15）に接続するとともに、この軸ボルト（14）の上下端をこのＰＣ基礎梁部材（１）の上面ならびに下部切り込み（17a ）から突出させた布基礎またはべた基礎用のＰＣ基礎梁部材において、
両端面の厚み方向中央位置に上下に貫通する縦溝（17）を設けるとともに、同じく両端面の高さ方向中央部分に、この縦溝（17）を中心とするＰＣ基礎梁部材（１）の厚みよりもせまい窪み部（20）を設けたことを特徴とする布基礎またはべた基礎用のＰＣ基礎梁部材。
【請求項２】
請求項１に記載のＰＣ基礎梁部材（１）、またはその略半分の長さのＰＣ基礎梁部材を複数個、互いに直角方向に接合し形状の布基礎またはべた基礎用のＰＣ基礎梁部材。
【請求項３】
隣接するＰＣ基礎梁部材（１）を前記の窪み部（20）に柱状の係合材（９）を挿入しながら接続するとともに、ＰＣ基礎梁部材（１）上面ならびに下部切り込み（17a ）から突出している軸ボルト（14）の上下端に、隣接するこれら上面ならびに下部切り込み（17a ）にまたがって上部接続金物（４）および下部接続金物（５）をあてがい、さらに接続部に前記縦溝（17）ならびに係合材（９）を貫通する長ボルトを挿入し、前記軸ボルト（14）ならびに長ボルト（32）をそれぞれナットで締めつけることを特徴とする請求項１または２に記載の布基礎またはべた基礎用のＰＣ基礎梁部材の接続構造。
【請求項４】
上部接続金物（４）が山形鋼あるいは溝形鋼に接続用の孔を設けたものである請求項３に記載の布基礎またはべた基礎用のＰＣ基礎梁部材の接続構造。
【請求項５】
地盤を溝形に根切りしてその底面に、上面中央にインサートナットを埋め込んだＰＣ礎版を敷き並べ、その上に請求項３または４に記載の接続構造により接続した請求項１または２に記載のＰＣ基礎梁部材を接続部が前記インサートナットの位置に来るように載置し、前記ＰＣ基礎梁部材端面の縦溝と、前記係合材と、上下の接続金物とを挿通する長い接続ボルトを挿入し、前記ＰＣ礎版の中央のインサートナットにねじ込んで締めつけることを特徴とする布基礎またはべた基礎の構築方法。
【請求項６】
地盤を溝形に根切りしてその底面に所定間隔で支持台を配置し、その上に請求項３または４に記載の接続構造により接続した請求項１または２に記載のＰＣ基礎梁部材を載置し、各軸ボルトの下端を長ナットを介して前記支持台に固定するとともに、接続部においては前記ＰＣ基礎梁部材端面の縦溝と、前記係合材と、上下の接続金物とを挿通する長い接続ボルトを挿入してこれを前記支持台に固定し、これら支持台を含むＰＣ基礎梁部材の下部にこのＰＣ基礎梁部材の下端部が埋まる高さまでコンクリートを打設することを特徴とする布基礎またはべた基礎の構築方法。
【発明の詳細な説明】
【技術分野】
【０００１】
本発明は、工場生産によるプレキャストコンクリート製（以下ＰＣと略す）の基礎梁部材を使用する布基礎、あるいはべた基礎におけるＰＣ基礎梁部材、ならびにその接続構造に関する。
【背景技術】
【０００２】
近年、住宅、事務所等の建築物の基礎部分に、工場生産によるＰＣ基礎梁部材を使用して場所打ちコンクリートを極力少なくし、工事期間を短縮するとともに基礎部分の信頼性を高めた布基礎、あるいはべた基礎等の基礎構造が広く採用されている。
【０００３】
例えば図１５は特許文献１に従来の技術として記載されているＰＣ基礎梁部材の一例を示す正面図、図１６は同じく平面図である。このＰＣ基礎梁部材1aは長方形の長辺を底部とし、短辺を高さとし、この短辺に等しいかそれ以下の厚みを有する直方体状で、内部には外表面から少なくとも所定のかぶり厚だけ隔てた位置に上下方向２段に水平配筋15およびこれらを連結するあばら筋16等の配筋が埋め込まれ、水平配筋15の両端にはピン孔を有する継手19a 、19b が取り付けられている。継手19a 、19b はＰＣ基礎梁部材１の水平方向端面の厚み方向中央に縦向きに形成された縦溝17から突出しており、一方の継手19a はピン孔を有する鋼板が２枚に分かれた受け手、他方の継手19b は同様の形状の鋼板１枚でなる差し手であり、継手19a の２枚の鋼板の中間に継手19b が挿入された状態でピンを挿通することにより隣接するＰＣ基礎梁部材１が相互に連結される。連結後、接続部の隙間にモルタルを注入充填する。
【０００４】
また図１７は同じ特許文献１に記載のＰＣ基礎梁部材1bを示す正面図、図１８はこのＰＣ基礎梁部材1bの接続構造を示す斜視図である。このＰＣ基礎梁部材1bは図１５、１６のものと形状は同じであるが、正面４隅の各コーナー部の内側にボルト孔を有する棒状の埋め込み金物18が埋め込まれており、図１８に示すようにＰＣ基礎梁部材1bの接続部に上部接続金物４ならびに下部接続金物５をあてがい、ボルトをねじ込んで隣接するＰＣ基礎梁部材を接続するのである。
【０００５】
なお、本出願人は下記の特許文献２において、上記の上部接続金物４をＰＣ基礎梁部材の上側からかぶせてボルト締めする接続構造を提案している。
【特許文献１】特開平９−２８７１５２号公報
【特許文献２】特願２００３−２７００３１号明細書等
【発明の開示】
【発明が解決しようとする課題】
【０００６】
ところで、特許文献１に記載の図１５、１６で説明した接続構造は、モルタルを使用するため寒冷地における施工に制約がある上、解体、再使用が困難であるという問題点がある。
【０００７】
また、図１７、１８で説明した接続構造は、建築物の基礎部分における接続金物４ならびに５の寸法が大きくなりがちで目障りであるばかりでなく、基礎の内外両側でボルト締め作業を行わなくてはならないので作業性が悪いという問題点がある。
【０００８】
また特許文献２に記載した接続構造においても、隣接するＰＣ基礎梁部材に不均一の垂直荷重が作用した場合の剪断耐力が不足するという問題点がある。
【０００９】
本発明は、従来の技術におけるこのような問題点を解消し、作業性とともに美観性にもすぐれた基礎の接続構造を実現することを目的とする。
【課題を解決するための手段】
【００１０】
本発明の布基礎またはべた基礎用のＰＣ基礎梁部材は、長方形の長辺を底部とし、短辺を高さとし、この短辺に等しいかそれ以下の厚みを有する直方体状のＰＣ基礎梁部材であって、両端付近の外表面から少なくとも所定のかぶり厚だけ隔てた位置に縦方向に軸ボルトを埋め込み、上下方向複数段の水平配筋に接続するとともに、この軸ボルトの上下端をこのＰＣ基礎梁部材の上面ならびに下部切り込みから突出させた布基礎またはべた基礎用のＰＣ基礎梁部材において、両端面の厚み方向中央位置に上下に貫通する縦溝を設けるとともに、同じく両端面の高さ方向中央部分に、この縦溝を中心とするＰＣ基礎梁部材の厚みよりもせまい窪み部を設けたことを特徴とする。
【００１１】
また本発明の布基礎またはべた基礎用のＰＣ基礎梁部材は、前記のＰＣ基礎梁部材、またはその略半分の長さのＰＣ基礎梁部材を複数個、互いに直角方向に接合し形状のものである。
【００１２】
本発明の布基礎またはべた基礎用のＰＣ基礎梁部材の接続構造は、隣接するＰＣ基礎梁部材を前記の窪み部に柱状の係合材を挿入しながら接続するとともに、ＰＣ基礎梁部材上面ならびに下部切り込みから突出している軸ボルトの上下端に、隣接するこれら上面ならびに下部切り込みにまたがって上部接続金物および下部接続金物をあてがい、さらに接続部に前記縦溝ならびに係合材を貫通する長ボルトを挿入し、前記軸ボルトならびに長ボルトをそれぞれナットで締めつけることを特徴とし、望ましくは上部接続金物が山形鋼あるいは溝形鋼に接続用の孔を設けたものである前記の布基礎またはべた基礎用のＰＣ基礎梁部材の接続構造である。
【００１３】
本発明の布基礎またはべた基礎の構築方法は、地盤を溝形に根切りしてその底面に、上面中央にインサートナットを埋め込んだＰＣ礎版を敷き並べ、その上に前記の接続構造により接続した前記のＰＣ基礎梁部材を接続部が前記インサートナットの位置に来るように載置し、前記ＰＣ基礎梁部材端面の縦溝と、前記係合材と、上下の接続金物とを挿通する長い接続ボルトを挿入し、前記ＰＣ礎版の中央のインサートナットにねじ込んで締めつけることを特徴とするものであるか、あるいは地盤を溝形に根切りしてその底面に所定間隔で支持台を配置し、その上に前記の接続構造により接続した前記のＰＣ基礎梁部材を載置し、各軸ボルトの下端を長ナットを介して前記支持台に固定するとともに、接続部においては前記ＰＣ基礎梁部材端面の縦溝と、前記係合材と、上下の接続金物とを挿通する長い接続ボルトを挿入してこれを前記支持台に固定し、これら支持台を含むＰＣ基礎梁部材の下部にこのＰＣ基礎梁部材の下端部が埋まる高さまでコンクリートを打設することを特徴とする布基礎またはべた基礎の構築方法である。
【発明の効果】
【００１４】
本発明によれば、基礎工事における作業性とともに基礎部分の美観性が向上するばかりでなく、基礎梁部材の接続部における剪断耐力が増加して基礎全体の強度が向上するという、すぐれた効果を奏する。
【発明を実施するための最良の形態】
【００１５】
本発明によれば、ＰＣ基礎梁部材の両端付近に縦方向に軸ボルトを埋め込み、隣接するＰＣ基礎梁部材について、ＰＣ基礎梁部材の上下面でこの軸ボルトを接続金物で接続するとともに、この窪み部に柱状の係合材を挿入して隣接するＰＣ基礎梁部材を接続するようにして布基礎やべた基礎を構築するようにしたので、外観性ならびに作業性がよいばかりでなく再使用する場合にも解体が容易であり、さらに係合材のくさび効果によって剪断耐力が向上する。
【実施例】
【００１６】
実施例１
本発明の第１の実施例を図１ないし図８により説明する。まず図１は実施例のＰＣ基礎梁部材１を示す正面図、図２は平面図、図３はその一部を示す部分斜視図で、１はＰＣ基礎梁部材、10はその表面に施された化粧溝、11はその上面中央に形成された段付き部、12は段付き部11に埋め込まれたアンカーボルト用インサートナット、12a は両側面下部中央に埋め込まれたべた基礎用の横インサートナット、13は両側面下部に形成された水平溝、14はＰＣ基礎梁部材１の両端付近に縦方向に埋め込まれた軸ボルト、15は両側の軸ボルト14に係止されて水平方向上下２段に配置された水平配筋、16は上下２段の水平配筋15を連結するあばら筋、17は両端面厚み方向中央位置に形成された縦溝である。化粧溝10は基礎の外面のみに設けてもよいし、また設けなくてもよい。なおここまでの構成は基本的にこれまで説明した従来のものと変わりはない。
【００１７】
本発明では以上の構成に加えて、図１〜３に示すように、ＰＣ基礎梁部材１の両端面の高さ方向中央部分に、厚み方向中央位置にある縦溝17を中心とする窪み部20を設けてある。
【００１８】
図４は、図３に示したＰＣ基礎梁部材１の一端に上部接続金物４ならびに下部接続金物５をあてがった状態を示す部分斜視図である。上部接続金物４はこの図に示すように等辺山形鋼を切断して一辺に接続用のボルト孔を設けたものでもよいし、溝形鋼を切断してウエブにボルト孔を設けたものでもよい。上部接続金物４としてこのような形鋼を使用することにより、接続部分に縦向きのリブが存在することから接続部の剪断強度が向上する効果を生じる。なお、上部接続金物４の下縁部に集中力が作用してコンクリートが破損するおそれのある場合には、図４に符号41で示す水平フランジを溶接により補強するとよい。
一方下部接続金物５は帯鋼板（平鋼）にボルト孔を設けたもので十分である。上部接続金物４および下部接続金物５については塗装等の防錆処理を行うことが望ましい。
【００１９】
本発明では、上部接続金物４および下部接続金物５には両側の軸ボルト14に差し込むボルト孔の他に中央にもう１個のボルト孔が必要である。これは追って詳しく説明する接続部分の長ボルト32を差し込むためのものである。
【００２０】
下部接続金物５を挿入するＰＣ基礎梁部材１の下面端部よりの部分は、図１に示すように下部切り込み17a を形成すると、スパナをかけるのに便利である。締めつけ作業完了後はこの下部切り込み17a 内に発泡スチロール等の固形防湿材を挿入して場所打ちコンクリートが侵入しないようにすると、将来の解体作業の際便利である。
【００２１】
上部接続金物４が溝形鋼の場合は基礎の内外両側でリブが見えるが、山形鋼の場合には、図４に示したように垂直のリブを基礎の内側とすれば、外側からは金物がほとんど見えないので美観上好ましい。どうしてもリブの見える溝形鋼の場合でも、図１8に示した従来の場合に比べると外から見える金物の面積がはるかに小さいので美観は向上している。下部接続金物５は外からは全く見えない。
【００２２】
図５は上記の窪み部20に挿入される係合材９の一例を示す斜視図である。この例では円柱形状であるが、角柱形状でもよい。窪み部20の形状は、係合材９に合わせる。係合材９の中心軸の位置に、長ボルト32が貫通する貫通孔91を設ける。係合材９は強度部材であるから金属製、コンクリート製などがよい。
【００２３】
隣接する両側の窪み部20に係合材９を挿入した上で軸ボルト14に上部接続金物４ならびに下部接続金物５を取り付け、接続部に前記縦溝17ならびに係合材９を貫通する長ボルト32を挿入し、両側の軸ボルト14および長ボルト32に図示しないナットを締めつければＰＣ基礎梁部材１は接続される。
【００２４】
つづいて、このようなＰＣ基礎梁部材１を使用して布基礎やべた基礎を構築する際のＰＣ基礎梁部材の支持構造について説明する。  図６はＰＣ礎版３の斜視図である。上面中央にインサートナット31が埋め込まれている。33は接続方向の各側面に設けられた側面窪み部である。
【００２５】
図７はこのＰＣ礎版３を使用した実施例の布基礎を示す部分正面図である。この実施例では、ＰＣ基礎梁部材１とＰＣ礎版３は同じ長さで半ピッチ位置をずらし、インサートナット31がＰＣ基礎梁部材１の接続部分の真下になるように配置する。窪み部20に係合材９を挿入した上で上部接続金物４および下部接続金物５によりＰＣ基礎梁部材１の上下を接続し、ＰＣ基礎梁部材１両端面の縦溝17で形成される長孔と前記の係合材９の貫通孔91をとおして長ボルト32を挿入してその先端を下方のインサートナット31にねじ込み、長ボルト32の上端をナットで締めつければ布基礎が完成する。接続部分にはモルタルを注入充填してもよいし、注入しなくてもよい。特に将来この基礎を解体して再使用する可能性のある場合には、モルタルを使用しない方が好都合である。なお、本実施例のようにＰＣ礎版３を使用し、場所打ちコンクリートを使用しない場合には、ＰＣ基礎梁部材１の水平溝13は特に必要ではない。
【００２６】
コンクリートが硬化して逆Ｔ字状の布基礎が完成したら、ＰＣ基礎梁部材１上部のインサートナット12にアンカーボルトＡをねじ込んで上面に土台Ｓを取り付け、上部の建築に移行する。なお、図１に示したようにＰＣ基礎梁部材１の上面に段付き部11を設けておくと、図７に示すように土台Ｓを載置すればその下部に床下換気口Ｖが形成される。
【００２７】
なお、ＰＣ礎版の側面窪み部33は設けなくてもよいが、これが設けられていると接続部に円形断面等の長孔が形成されるので、その中に前記と同様の係合材９を挿入すれば、ＰＣ礎版３の剪断耐力が向上するので好ましい。側面窪み部33の断面形状は例えば半円形であるが、これに限らず三角形（両側合わせてひし形）などとしてもよい。
【００２８】
寸法例を示すと、ＰＣ基礎梁部材１の長辺が1000ｍｍ、短辺すなわち高さが550ｍｍ、さらに上部の断付き部が40ｍｍ、厚さが120ｍｍ、円柱形状の係合材９の直径が70ｍｍ、中央に挿入される長ボルト32はＭ24である。またＰＣ礎版３の厚さは150ｍｍ、側面窪み部33の半径はＰＣ基礎梁部材１の窪み部20と同じ70ｍｍである。
【００２９】
実施例２
実施例１におけるＰＣ礎版３に代えて、簡単な支持台を使用することもできる。
【００３０】
図８は支持台の一例を示す斜視図で、この支持台2aはボルトと鉄筋を組み立てて製作される。支持ボルト21にはナット22が挿入されている。縦向きの支持ボルト21の下端にはこれと直角な台筋24が取り付けられ、また中間の高さには同じく直角方向の施工筋23がいずれもスポット溶接等により取り付けられている。また図９は図８の支持台の変形例で、この支持台2bは図８の支持台2aの台筋24に代えて樹脂、木材、鋼板等の支持板25を使用し、支持ボルト21との接合は支持板25の表面にナットを接着することで行っている。さらに施工筋23もナットの側面に溶接して、上下方向の調整を容易にしている。
【００３１】
図１０は以上のＰＣ基礎梁部材１ならびに支持台2aを使用した布基礎の構築例を示す布基礎の軸ボルト14位置における断面図である。基礎部分の地盤を溝形に根切りしてその底面に台板６を敷き並べてある。ＰＣ基礎梁部材１の接続構造については実施例１において説明したとおりである。下部については、図４に示したように隣接するＰＣ基礎梁部材１の軸ボルト14の突き出し部に下部接続金物５をあてがい、これを長ナット26で締めつけた後、長ナット26の下部に前記の支持台、例えば図９に示した支持台2aの支持ボルト21をねじ込み、ナット22で高さ調整を行ってこれを台板６に載置する。接続部の長ボルト32についても同様に長ナットを介して支持台で支持する。ＰＣ基礎梁部材１の敷設が完了したら、適宜型枠を組んで礎版部分の場所打ちコンクリート７を打設する。ＰＣ基礎梁部材１には側面下部に水平溝13を形成してあるので、これが見えなくなる高さを打設の目安とする。またこの水平溝13内にコンクリート７が侵入することにより、コンクリート７とＰＣ基礎梁部材１との結合が一層強化される。
【００３２】
なお、支持台として図９に示した支持板25のついたもの（2b）を使用すれば、下部の台板６を省略することもできる。また支持台としてコンクリートブロックを半分に切ったものなども使用できる。
【００３３】
図１１は実施例２の変形例を示す断面図で、断面位置はＰＣ基礎梁部材１の中央であり、この断面には支持台2aは現れていない。構築する基礎はべた基礎であり、横インサートナット12a に水平方向の安定筋81を接続している。12b は下面インサートナット、Ｂはこれにねじ込まれた下部ボルトで、コンクリート７との一層の付着を図っている。
【００３４】
実施例３
以上各実施例について、基礎が直線状で長い場合を想定して説明したが、実際の基礎においては建物の角部や内壁の接続部などに単純な直線以外の形状が必要である。図１２はそのようなＰＣ基礎梁部材１の変形例を示す平面図であり、（ａ）のＰＣ基礎梁部材1aはこれまでに説明した直線状のもので、左右の長さをモジュール寸法Ｍとする。（ｂ）のＰＣ基礎梁部材1bは角部に使用するＬ字状のもので、1aの半分の長さのものを互いに直角に接続した形である。（ｃ）の1cは内壁接続部等に使用するＴ字状のもので、1aで示したものの中央に、その半分の長さのものを直角方向に接続してある。また（ｄ）に示す1dは壁の交差部等の基礎に使用する十字形のもので、1aの半分の長さのもの４個を互いに直角方向に接続した形である。14はそれぞれの軸ボルトを示す。このうち（ｂ）の1bは、端部を支持しただけでは不安定で浮き上がるおそれがあるから、角部下面、あるいは角部下部側面にインサートナットを埋め込んで補助ボルト14a をねじ込むか、Ｌ型金具をボルト止めして礎版部分と連結する等の対策を講じることが好ましい。
【００３５】
実施例４
図１３はＰＣ基礎梁部材１の変形実施例を示す部分斜視図である。これまで、ＰＣ基礎梁部材の両端面に窪み部20を設け、接続の際その中へ係合材９を挿入するものとして説明してきたが、一方の端面に係合材９を埋め込んで一体化させても同じことであり、これまでの「両端面に窪み部20を設け、接続の際その中へ係合材９を挿入する」との表現は図１３のようなものも含むものとする。ただし、このようにするとＰＣ基礎梁部材１に方向性が生じるので、施工には多少注意が必要である。
【００３６】
図１４は、接続した２個のＰＣ基礎梁部材の剪断力載荷試験の概要を示す概念図である。接続部に対して非対称となるように荷重をかけ、破壊耐力やずれ（変位）を測定する。係合材を挿入しない従来のものに対して、本発明品は耐力、ずれともに良好な成績を示した。
【００３７】
なお、以上各実施例において窪み部20、係合材９が高さ方向中央部分に１個の場合について説明したが、例えば梁高さが大きい場合などにこれらを上下２個に分割して設けることは任意であり、本発明の範囲内である。
【図面の簡単な説明】
【００３８】
【図１】本発明の第１の実施例におけるＰＣ基礎梁部材を示す正面図である。
【図２】本発明の第１の実施例におけるＰＣ基礎梁部材を示す平面図である。
【図３】本発明の第１の実施例におけるＰＣ基礎梁部材の一部を内側より見た部分斜視図である。
【図４】図３のＰＣ基礎梁部材に上下の接続金物をあてがった状態を示す部分斜視図である。
【図５】本発明における係合材の一例を示す斜視図である。
【図６】本発明の実施例における礎版の一例を示す斜視図である。
【図７】本発明の第１の実施例における布基礎の構築例を示す部分正面図である。
【図８】本発明の第２の実施例における支持台の一例を示す斜視図である。
【図９】本発明の第２の実施例における支持台の変形例を示す斜視図である。
【図１０】本発明の第２の実施例における布基礎の構築例を示す断面図である。
【図１１】本発明の第２の実施例におけるべた基礎の構築例を示す断面図である。
【図１２】本発明におけるＰＣ基礎梁部材の変形例を示す平面図である。
【図１３】本発明におけるＰＣ基礎梁部材の変形例を示す部分斜視図である。
【図１４】本発明におけるＰＣ基礎梁部材の載荷試験を示す概念図である。
【図１５】従来の技術におけるＰＣ基礎梁部材の一例を示す正面図である。
【図１６】同じく従来の技術におけるＰＣ基礎梁部材の一例を示す平面図である。
【図１７】従来の技術におけるＰＣ基礎梁部材の他の例を示す正面図である。
【図１８】図１７に示した従来の技術におけるＰＣ基礎梁部材の接続構造を示す斜視図である。
【符号の説明】
【００３９】
１、1a、1b    ＰＣ基礎梁部材
２（2a、2b）    支持台
３    ＰＣ礎版
４    上部接続金物
５    下部接続金物
６    台板
７    場所打ちコンクリート
９、9a    係合材
10    化粧溝
11    段付き部
12、31    インサートナット
12a   横インサートナット
12b   下面インサートナット
13    水平溝
14    軸ボルト
14a   補助ボルト
15    水平配筋（ループ筋）
16    あばら筋
17    縦溝
17a   下部切り込み
18    埋め込み金物
19a 、19b   継手
20    窪み部
21    支持ボルト
22    ナット
23    施工筋
24    台筋
25    支持板
26    長ナット
32    長ボルト
33    側面窪み部
41    水平フランジ
81    安定筋
91    貫通孔
Ａ    アンカーボルト
Ｂ    下部ボルト
Ｐ    固形防湿材
Ｓ    土台
Ｖ    床下換気口
【図１】
2006057351.tif 000003
【図２】
2006057351.tif 000004
【図３】
2006057351.tif 000005
【図４】
2006057351.tif 000006
【図５】
2006057351.tif 000007
【図６】
2006057351.tif 000008
【図７】
2006057351.tif 000009
【図８】
2006057351.tif 000010
【図９】
2006057351.tif 000011
【図１０】
2006057351.tif 000012
【図１１】
2006057351.tif 000013
【図１２】
2006057351.tif 000014
【図１３】
2006057351.tif 000015
【図１４】
2006057351.tif 000016
【図１５】
2006057351.tif 000017
【図１６】
2006057351.tif 000018
【図１７】
2006057351.tif 000019
【図１８】
2006057351.tif 000020